(57)【要約】
【課題】　家族、および愛玩動物等の遺骨、毛等の身体の一部を収容可能な装身具を提供する。
【解決手段】　装身具１は、涙型を呈し、表面にカットが施された無色透明のダイヤモンドで形成された装飾部２と、装飾部２の底面から穿設され、内部に遺骨４を収容可能な空間を有し、表面に開口部を備える円孔部３と、円孔部３を閉塞する密栓５と、首にかける鎖部と、装飾部２を鎖部に吊るす吊着部とから主に構成され、ネックレス状に形成されている。これにより、遺骨４が収容されている装飾部２を首から下げることが可能となり、お守り代わりに使用することができる。さらに、遺骨４が収容されているため、御墓や仏壇の代わりに、装身具１を利用して供養を行うこともできる。
【選択図】　図２
0003099149.tif 000002
【実用新案登録請求の範囲】
【請求項１】
　宝石または貴金属を素材として形成される装飾部と、
　前記装飾部に穿設され、人間または愛玩動物の毛、爪、骨、へその緒及び遺骨・遺灰を含む収容物を収容可能な空間を有し、前記装飾部の表面に開口した開口部を備える孔部と、
　前記空間に前記収容物を収容した状態で、前記孔部を閉塞する閉塞手段と
を具備することを特徴とする装身具。
【請求項２】
　宝石または貴金属を素材として形成される装飾部と、
　前記装飾部を複数に切断し、当該切断面に人間または愛玩動物の毛、爪、骨、へその緒及び遺骨・遺灰を含む収容物を収容可能な空間を有する凹部を備え、
　前記空間に前記収容物を収容した状態で、前記凹部を閉塞する閉塞手段と
を具備することを特徴とする装身具。
【請求項３】
　前記孔部の内孔面を被覆して形成された薄膜状の金属膜部をさらに具備することを特徴とする請求項１又は請求項２に記載の装身具。
【請求項４】
　前記閉塞手段は、
　前記孔部の前記空間に樹脂を充填し、硬化させることにより形成されることを特徴とする請求項１、請求項２または請求項３に記載の装身具。
【請求項５】
　前記閉塞手段は、
　前記装飾部と同素材で形成され、前記孔部の少なくとも一部に嵌合可能な嵌合部を有する閉塞栓と、
　前記嵌合部が前記孔部に嵌合された状態を保持する保持手段と
を具備することを特徴とする請求項１、請求項２または請求項３に記載の装身具。
【請求項６】
　前記装飾部は、
　文字、数字、および記号を含む文字部が前記表面に刻印されていることを特徴とする請求項１乃至請求項５のいずれか一つに記載の装身具。
【考案の詳細な説明】
【考案の詳細な説明】
【技術分野】
【０００１】　本考案は、装身具に関するものであり、特に内部に遺骨等の人体の一部を収容し、身に付けることが可能な装身具に関するものである。
【背景技術】
【０００２】　従来より、ダイヤモンド、エメラルド、サファイヤ、およびルビー等の宝石は、ネックレス、ペンダント、ブローチ、指輪、ブレスレットおよびイヤリング等の装身具に使用され、身体装飾として愛用されている。そして、宝石は半永久的に輝きが失われないため、代々受け継がれることもある。【０００３】　また、例えば、遠く離れて暮らしていたり、亡くなった親等の大切な人の写真が入れられた、いわゆるロケットペンダントをお守りのように肌身離さず身につけることもある。【０００４】　一方、親等が亡くなった際は、遺骨を御墓に埋葬したり、仏壇に位牌を安置し、供養を行っている。また、悩み事があるとき、うれしい報告をしたいとき等に、墓前および仏前に話しかけることにより、故人を身近に感じることもある。さらに、愛玩動物（いわゆる、ペット）が死んだ場合も、葬式を行ったり、御墓をたてるなど、人間と同様に扱うことが多くなっている。しかしながら、御墓の世話を煩わしく感じる、部屋が狭い、および御墓および仏壇が高価である等の理由により、御墓や仏壇を所有しない家庭もある。また、たとえ、御墓や仏壇があったとしても、宗教意識の薄れ等により、お参りしない人もいる。【０００５】　以上の従来技術は、公然に実施されているものである。
【考案が解決しようとする課題】
【０００６】　しかしながら、家族、恋人等の自分にとって大切な人、または愛玩動物等を亡くした場合に、亡くなった人等を身近に感じていたい、あるいは故人を偲ぶものを形で残したいと望む声があった。
【０００７】　そこで、本考案は、上記実情に鑑み、家族および愛玩動物等の遺骨、毛等の身体の一部を収容して、常に身につけておくことが可能な装身具を提供することを課題とする。
【課題を解決するための手段】
【０００８】　本考案に係る装身具は、「宝石または貴金属を素材として形成される装飾部と、
　前記装飾部に穿設され、人間または愛玩動物の毛、爪、骨、へその緒及び遺骨・遺灰を含む収容物を収容可能な空間を有し、前記装飾部の表面に開口した開口部を備える孔部と、前記空間に前記収容物を収容した状態で、前記孔部を閉塞する閉塞手段と」を、上述の課題を解決するための主要な構成とする。
　また、本考案に係る装身具は、「宝石または貴金属を素材として形成される装飾部と、　前記装飾部を複数に切断し、当該切断面に人間または愛玩動物の毛、爪、骨、へその緒及び遺骨・遺灰を含む収容物を収容可能な空間を有する凹部を備え、前記空間に前記収容物を収容した状態で、前記凹部を閉塞する閉塞手段と」を、上述の課題を解決するための主要な構成とする。
【０００９】　ここで、装身具とは、指輪、ペンダント、ネックレス、イヤリング、ピアス、ブローチ、およびブレスレット等のいわゆる「ジュエリー」や、キーホルダー、根付、念珠等を含む。そして、装飾部は、例えば、ペンダントヘッド、指輪に嵌めこまれた宝石等が相当する。
【００１０】　また、宝石とは、非金属の鉱物等で色彩、光沢等が美しいものであり、ダイヤモンド、オニキス、トパーズ類、エメラルド、サファイヤ、ルビー、ガーネット類、クオーツ類、トルコ石、インカローズ、クリソプレーズ、アマゾナイト、ソーダライト、ペリドット、アイオライト、アクアマリン類、オパール、タンザナイト、ムーンストーン類、トルマリン類、ルベライト、ラピスラジュリ、翡翠類、アレキサンドライト類、キャッツアイ、カルセドニー類、アパタイト、マラカイト、クンツァイト、モルガナイト、ヘマタイト、琥珀、象牙、珊瑚、真珠類、貝等が例示される。さらに、天然の石だけでなく、人工石も含まれる。また、貴金属とは、白金、金、銀などが例示される。
【００１１】　そして、人間とは、装身具を装着する人（以下、装着者と称する。）の家族、恋人、および友人等の身近な人々が対象となる。また、愛玩動物は、犬、猫、および兎等の哺乳類以外に、カメレオン等の爬虫類等を含み、装着者がペットとして大切にしている動物が相当する。そして、収容物とは、上述した人間の頭髪および動物の被毛等の毛、爪、歯、および骨等の、従来より形見とされていたものが例示される。さらに、生きている人等のものを収容してもよい。また、収容物は、上述した人一人のものであってもよいし、家族等、複数人のものを混合したものであってもよい。
【００１２】　したがって、本考案の装身具によれば、装着者が大切に思う人やペット等の爪、毛、および遺骨等を、装飾部に穿設された孔部が有する空間の中に入れた状態で孔部を閉塞する。例えば、遠く離れて暮らす子供の髪の毛を入れてペンダントにして、身につけることにより、その人やその動物を身近に感じるため、お守りのように使用することも可能である。また、亡くなった母親の遺骨を入れ、身に付けることにより、亡くなった母親を身近に感じ、常に想うことも可能となる。さらに、遺骨等の形見が入っているため、仏壇や御墓の代わりとして、その装身具に対して供養を行ったり、相談したり、お祝い事の報告をすることが可能となる。そのため、高価な御墓や仏壇等を購入せず、大切な人や愛玩動物等の供養を行うことができる。
【００１３】　さらに、装飾部を宝石で形成した場合、宝石は半永久的に形状等が維持されるため、その装身具を親から子、さらには孫へと代々引継ぐことが可能となる。そのため、狭小なスペースで先祖等の供養を行うことが可能となり、従来は煩雑と感じていた御墓、仏壇の手入れおよび管理をする手間、および時間を省力化し、さらにこれらに係る費用等を削減することができる。
【００１４】　上記装身具を、「前記孔部の内孔面を被覆して形成された薄膜状の金属膜部をさらに具備する」ものとしてもよい。
【００１５】　ここで、金属とは上述した白金、金および銀等の貴金属が例示される。そして、金属膜部は、溶融状態の金属を塗布する、箔状の金属を貼着する、蒸着する等の種々の周知の技術によって形成される。
【００１６】　これにより、例えば、装飾部が透明の宝石で形成されている場合、孔部の内孔面に金属膜部が形成されているため、孔部の空間に収容されている収容物が外から見えなくなる。さらに、金属膜部は金や銀等を用いることにより金色や銀色等に輝くため、宝石にまた別の輝きを加える。そのため、従来の装身具と同様に、本考案の装身具を使用者が違和感を感じることなく使用することができる。
【００１７】　さらに、上記装身具を、「前記閉塞手段は、前記孔部の前記空間に樹脂を充填し、硬化させることにより形成される」ものとしてもよい。
【００１８】　ここで、樹脂はシリコーン樹脂、ユリアホルムアルデヒド樹脂（いわゆる、尿素樹脂）等の耐久性に優れ、無色透明の樹脂が好適である。
【００１９】　これにより、樹脂が孔部の空間に充填され、硬化することにより、樹脂に収容物が内包されると共に、孔部が隙間なく閉塞される。その結果、装身具が水に浸されても、孔部の空間に水が侵入することがないため、入浴したり、プールに入るとき等も外す必要がなく、肌身離さず装着することができる。さらに、収容物は樹脂に内包されているため、装着者の動きに伴って収容物が振動し、孔部の内孔面と衝突し、破損する可能性が少なくなる。
【００２０】　また、上記装身具を、「前記閉塞手段は、前記装飾部と同素材で形成され、前記孔部の少なくとも一部に嵌合可能な嵌合部を有する閉塞栓と、前記嵌合部が前記孔部に嵌合された状態を保持する保持手段とを有する」ものとしてもよい。
【００２１】　ここで、閉塞栓は孔部に嵌合する円柱状の栓等が利用され、一方、保持手段は嵌合された嵌合部を接着する接着剤等が例示される。さらに、閉塞手段は、孔部に雌ネジを形成し、同素材で形成された雄ネジを螺合することにより閉塞されるものであってもよい。
【００２２】　これにより、装飾部および閉塞栓が同素材で形成されるため、違和感のない外観に形成することが可能となる。そのため、デザインの幅を拡げることが可能となる。
【００２３】　加えて、上記装身具を、「前記装飾部は、文字、数字、および記号を含む文字部が表面に刻印されている」ものとしてもよい。
【００２４】　ここで、記号には宗教団体等を表示する標章、および図形、家紋等が含まれる。そして、文字部は孔部の空間に収容された収容物に関する人等の氏名、住所等を含み、さらに、故人の場合、法名等を含んでもよい。このとき、肉眼で視認することが不可能な１マイクロメートル程度の大きさで一文字が刻印されるものが、装身具の外観を損じることがなく、好適である。また、前述した収容物に関する情報以外に、キリスト教徒の場合、十字架を入れる等、宗教に関するマーク等を入れることも可能である。
【００２５】　これにより、本考案の装身具に収容されている収容物に関する情報を得ることが可能となる。さらに、住所および氏名が刻印された本考案の装身具を代々受け継ぐにとにより、その家の系譜を把握することが可能となる。
【考案を実施するための最良の形態】
【００２６】　以下、本考案の第一実施形態である装身具１について、図１乃至図４に基づいて詳しく説明する。ここで、図１は第一実施形態である装身具１の構成を示す正面図であり、図２は装身具１の構成を示す断面図であり、図３は装身具１の構成を示す底面図であり、図４は装身具１の文字部９を示す拡大正面図である。【００２７】　図１乃至図４に示すように、装身具１は、涙型を呈し、表面にカットが施された無色透明のダイヤモンドで形成された装飾部２と、装飾部２の底面から穿設され、内部に遺骨４を収容可能な空間を有する円孔部３と、円孔部３を閉塞する密栓５と、装飾部２の上端を保持する吊着部７と、装飾部２を吊着部７を介して吊るし、首にかける鎖部１０とから主に構成されている。ここで、装身具１は、亡くなった母親（以下、故人と称する。）の遺骨４を収容し、ネックレスにして利用するものを例示する。なお、円孔部３が本考案の孔部に、遺骨４が本考案の収容物に、密栓５が本考案の閉塞手段にそれぞれ相当する。また、図２乃至図４において説明を簡略化するために、吊着部７および鎖部１０の構成の図示を省略している。【００２８】　まず、装飾部２について詳細に説明する。上述した通り、装飾部２は無色透明のダイヤモンドで形成され、表面に故人の氏名Ｎおよび住所Ａからなる文字部９が刻印され（図４参照）、円柱状の空間を有し、表面に開口した開口部を備える円孔部３が穿設されている（図２参照）。そして、円孔部３の内孔面には金箔が貼着され、金属膜部６が形成されている。ここで、説明を簡略化するために、金属膜部６の膜厚を厚く、文字部９を実際よりも大きく表示している。【００２９】　次に、密栓５について詳細に説明する。まず、円孔部３に収容することが可能な大きさに削られた遺骨４を円孔部３の空間に収容し、開口部から、硬化型のシリコーン樹脂を注入し、円孔部３の空間にシリコーン樹脂を充填する。そして、シリコーン樹脂を硬化させることにより、遺骨４を内包すると共に円孔部３を閉塞する密栓５が形成される（図２および図３参照）。これにより、円孔部３が閉塞され、水等が装飾部２の内部に侵入する可能性が少なくなる。また、遺骨４はシリコーン樹脂に内包されるため、装着者の動きに伴って遺骨４が振動し、円孔部３と衝突し、粉砕されたり、破損すること等がなくなる。【００３０】　ここで、装身具１はネックレス状に形成されているため、遺骨４が収容された装飾部２を首から下げることができる。そのため、肌身離さず故人の遺骨４を身に付けることができ、お守り等として使用することができる。また、装飾部２の中に遺骨４が入っているため、高価な御墓や仏壇等を購入せず、仏壇や御墓の代わりとして装身具１に対して供養を行ったり、相談したり、お祝い事の報告をすることができる。したがって、御墓や仏壇の手入れおよび管理をする手間、時間、および費用等を削減することができる。【００３１】　さらに、円孔部３の内側に金箔が貼着され、金属膜部６が形成されているため、孔部３に収容されている遺骨４が無色透明のダイヤモンドで形成されている装飾部２の外から視認されることがない。そして、金箔により無色透明のダイヤモンドの一部に金色の輝きが加えられる。【００３２】　続いて、本考案の第二実施形態である装身具２１について図５に基づいて説明する。図５は装身具２１の構成を示す断面図である。【００３３】　装飾部２２は、黒色のダイヤモンド（以下、黒ダイヤと称する。）を第一実施形態の装飾部２と同様の涙型に形成したものであり、第一実施形態の装飾部２と同様の円孔部２３が穿設されている。なお、円孔部２３は一端が曲面状に形成されているものである。そして、閉塞栓２４は円孔部２３の一部に嵌合する嵌合部２４ａを有し、断面凸の字形状を呈している。ここで、閉塞栓２４は装飾部２２と同じ黒ダイヤで形成されている。そして、装飾部２２の円孔部２３の空間に遺骨４を収容し、閉塞栓２４の嵌合部２４ａの周囲に接着剤Ｇを塗布し、円孔部２３の開口部から閉塞栓２４を嵌合する。これにより円孔部３が閉塞される。ここで、接着剤Ｇが本考案の保持手段に相当する。なお、第二実施形態の装身具２１は、第一実施形態の装身具１と同様のネックレス状をなすものである。【００３４】　これにより、閉塞栓２４を嵌合して円孔部２３が閉塞されるため、樹脂を注入し、乾燥して硬化させるという手間および時間を省略することが可能となる。また、閉塞栓２４が装飾部２２と同素材（黒ダイヤ）で形成されているため、違和感のない外観に仕上げられ、さらに、ペンダントヘッドに使用される宝石の割合が高くなり、ジュエリーとしての価値が高くなる。加えて、装飾部２２が黒ダイヤで形成されているため、円孔部２３に収容された遺骨４が外部から視認されることがなく、第一実施形態で示したような金属膜部６を形成する手間および費用を省略することができる。また、円孔部２３は底面が曲面状に形成されているため、装身具１の円孔部３に比べて、容易に穿設することができる。【００３５】　さらに、本考案の第三実施形態である装身具３１について図６に基づいて説明する。図６は装身具３１の構成を示す断面図である。【００３６】　装飾部３２は、第二実施形態の装飾部２２と同様の黒ダイヤを涙型に形成したものである。そして、断面凸の字形状の空間を有し、装飾部３２の表面に開口部を備える円孔部３３が、装飾部３２の底面から穿設されている（図６参照）。そして、閉塞栓３４は、装飾部３２と同素材の黒ダイヤが円孔部３３に挿入可能な大きさの球状に形成されているものである。そして、円孔部３３に遺骨４を収容した後、閉塞栓３４に接着剤Ｇを塗布し、円孔部３３に挿入する。これにより、円孔部３３が閉塞される。ここで、接着剤Ｇが本考案の保持手段に相当する。なお、第三実施形態の装身具３１は、第一実施形態および第二実施形態の装身具１，２１と同様のネックレス状をなすものである。【００３７】　これにより、閉塞栓３４を嵌合して円孔部３３が閉塞されるため、樹脂を注入し、乾燥して硬化させるという手間および時間を省略することが可能となる。さらに、閉塞栓３４が球状に形成されているため、第二実施形態の閉塞栓２４と比較して形状が簡単であり、製造しやすい。さらに、「丸」、「円」等の縁起が良いとされる形状であるため、お守りとして装着するのに好適である。【００３８】　続いて、本考案の第四実施形態である装身具４１について図７に基づいて説明する。図７は装身具４１の構成を示す断面図である。【００３９】　装飾部４２は、第一実施形態の装飾部２と同様の無色透明のダイヤモンドを涙型に形成したものであり、第一実施形態の装飾部２と同様の円孔部４３が穿設されている。そして、円孔部４３の内孔面にはプラチナが塗布され、金属膜部４４が形成され、さらに、金属膜部４４の下方（図７において、紙面下方）には、雌ネジ部４４ａが形成されている。そして、遺骨４を内包し、円孔部４３に嵌合する円柱状にシリコーン樹脂を用いて形成された樹脂栓４５を、円孔部４３の開口部から挿入する。その後、金属膜部４４と同様のプラチナで雄ネジに形成された閉塞栓４６を雌ネジ部４４ａに螺合して円孔部４３を閉塞する。【００４０】　これにより、雌ネジと雄ネジの螺合により、接着剤等を使用せず樹脂栓４５が円孔部４３に嵌合された状態を保持することができる。また、遺骨４がシリコーン樹脂に内包された樹脂栓４５が円孔部４３に嵌合された上に、ネジ状の閉塞栓４６によって閉塞されているため、さらに密封性が向上し、収容物を状態良く保存することが可能となる。【００４１】　次に、本考案の第五実施形態である装身具５１について図８に基づいて説明する。図８は装身具５１の構成を示す断面図である。なお、装身具５１において、第四実施形態の装身具４１と同一の構成および機能を有するものについては同一番号を付し、詳細な説明は省略する。【００４２】　装身具５１は、涙型を呈し、表面にカットが施された無色透明のダイヤモンドで形成された装飾部５２と、装飾部５２の上端から穿設され、円柱状の空間を有し、表面に開口部を備える円孔部５３と、装飾部５２の底面の略中央に穿設され、微細な凹状を呈する微細孔部５４と、遺骨４を内包し、円孔部５３に嵌合される樹脂栓４５（第四実施形態の装身具４１と同様のもの）と、装飾部５２の上端を保持する吊着部５５と、装飾部５２を吊着部５５を介して吊るし、首にかける鎖部（図示しない）とから主に構成されている。ここで、装身具５１は、第一実施形態乃至第四実施形態の装身具１，２１，３１，４１と同様に、ネックレスにして利用するものを例示する。【００４３】　ここで、吊着部５５について詳細に説明する。吊着部５５は、円孔部５３に挿入され、接着剤Ｇによって装飾部５１に取着される取着部５５ａと、取着部５５ａに接続され、装飾部５１の上端を保持する保持部５５ｂと、保持部５５ｂから延設され、鎖部１０が挿通される挿通孔部５５ｃと、保持部５５ｂから微細孔部５４に向かって、線状に装飾部５２の表面に沿って形成された複数本の表面装飾部５５ｄを有する。なお、表面装飾部５５ｄは、先端が鍵状に形成され、微細孔部５４に引掛けることによって固定されている。【００４４】　これにより、円孔部５３に、第四実施形態の装身具４１と同様の樹脂栓４５を嵌合した後、吊着部５５の取着部５５ａに接着剤Ｇを塗布して挿入し、円孔部５３が閉塞される。このとき、円孔部５３が装飾部５２の上端から下に向かって穿設され、底部は開口していないため、遺骨４を内包する樹脂栓４５が脱落することがない。さらに、表面装飾部５５ｄの先端を微細孔部５４に引掛けることにより、取着部５５ａが円孔部５３から離脱するのを防止することができる。また、表面装飾部５５ｄによって装飾部５２の表面の一部をデザイン的に被覆することができるため、円孔部５３に収容された遺骨４を外から視認されることが少なくなる。また、表面装飾部５５ｄにさらに、宝石を取着したり、曲線状のデザインにする等、装飾部５２の表面に種々のデザインを施すことが可能となる。【００４５】　以上、本考案について好適な実施形態を挙げて説明したが、本考案はこれらの実施形態に限定されるものではなく、以下に示すように、本考案の要旨を逸脱しない範囲において種々の改良および設計の変更が可能である。【００４６】　すなわち、装身具１，２１，３１，４１，５１は、ネックレスに限定されず、ペンダント、指輪、イヤリング、ピアス、ブレスレットおよびブローチ等のジュエリーであってもよい。さらに、念珠、キーホルダ、および根付等であってもよい。また、密栓５、または閉塞栓２４，３４が抜け落ちるのを防止するために、装飾部２，２２，３２を下方から支持する支持具を設けてもよい。【００４７】　また、装飾部２，２２，３２，４２，５２は、ダイヤモンドを使用しているが、エメラルド、サファイヤ、ルビー、および翡翠等の宝石であってもよい。ここで、宝石は、天然石、および人工石を含む。さらに、白金、金、および銀等の貴金属であってもよい。また、形状およびカットの種類はこれに限定されず、真円型、だ円型、ボート型等であってもよく、さらに、表面にカットが施されていないものであってもよい。加えて、表面に氏名Ｎおよび住所Ａが刻印されているものを示したが、法名や没年等種々の情報を刻印することが可能である。さらに、十字架等、宗教に係るマークや標章、家紋等を刻印することも可能である。これにより、装着者の好み、および予算等に応じた装身具を製造することが可能となり、装着者の購買意欲を増進させることが可能になる。【００４８】　そして、密栓５、樹脂栓４５、および閉塞栓２４，３４，４６の素材および形状は、これらに限定されるものではなく、円孔部３，２３，３３，４３，５３を閉塞する形状、および耐久性のある素材であればよい。【００４９】　さらに、円孔部３，２３，３３，４３，５３に収容する収容物は、頭髪、歯、および爪等であってもよい。また、収容物は、亡くなった人のものに限らず、生きている人のものであってもよいし、愛玩動物等の動物のものであってもよい。これにより、例えば、離れて暮らす家族等を身近に感じるお守りのように使用することも可能である。また、収容物は一人のものだけでなく、例えば、家族等の複数人の収容物を混合して入れることも可能である。これにより、両親共に亡くなった場合など、一つの装身具に両親の遺骨を混合して収容し、一つの装身具を使用して、二人同時に供養等を行うことができる。また、一人ずつ個別に保管する手間を省略することができる。【００５０】　また、装身具１，２１，３１，４１，５１に、ＤＮＡ鑑定書を添えるようにしてもよい。これにより、収容物が誰のものなのかを確認することが可能となる。
【考案の効果】
【００５１】　以上詳細に説明したように、本考案の装身具は、宝石または貴金属で形成された装飾部に穿設された孔部に、亡くなった人の遺骨等の形見を収容することが可能である。そのため、大切な人の遺骨等を身につけることができる。そして、高価なお墓や仏壇を購入せず、本考案の装身具を用いて供養を行うことができる。
【００５２】　また、装飾部が宝石で形成される場合、半永久的に形状が保持されるため、代々受継ぐことも可能となる。さらに、装飾部の表面に名前等を刻印することにより、後世に名を伝えることができ、系譜を辿ることもできる。
【図面の簡単な説明】
【００５３】
【図１】第一実施形態の装身具の構成を示す正面図である。
【図２】第一実施形態の装身具の構成を示す断面図である。
【図３】第一実施形態の装身具の構成を示す底面図である。
【図４】第一実施形態の装身具の文字部を示す拡大正面図である。
【図５】第二実施形態の装身具の構成を示す断面図である。
【図６】第三実施形態の装身具の構成を示す断面図である。
【図７】第四実施形態の装身具の構成を示す断面図である。
【図８】第五実施形態の装身具の構成を示す断面図である。
【符号の説明】
【００５４】１，２１，３１，４１，５１　装身具
２，２２，３２，４２，５２　装飾部
３，２３，３３，４３，５３　円孔部（孔部）
４　遺骨（収容物）
５　密栓（閉塞手段）
６，４４　金属膜部
９　文字部
２４，３４，４６　閉塞栓
２４ａ　嵌合部
Ｇ　接着剤（保持手段）
【図１】
0003099149.tif 000003
【図２】
0003099149.tif 000004
【図３】
0003099149.tif 000005
【図４】
0003099149.tif 000006
【図５】
0003099149.tif 000007
【図６】
0003099149.tif 000008
【図７】
0003099149.tif 000009
【図８】
0003099149.tif 000010